(57)【要約】【目的】肩痛，肩こり，肺，心臓の機能の衰えた病人，老人或いは腰痛，腰のしびれ，腰の前屈した老人，猫背の人等が、胸を張って大きく呼吸し、腰をのばし良い姿勢がとれるように、特に肩の背面の背骨上部を反らし易くし、更に背骨下部（腹部）までものばし易くして老人を活性化する。【構成】左右背乗せ部２，２’上部で間隔が狭い部に肩傾斜乗せ部１４を設けて枕１の上の頭を横に倒して横向き寝するために、傾斜面上で背骨を反らせる構成を、背乗せ部を用いない場合にも背骨の特に上部で肺を広げて呼吸を大きくするように背骨反らせ調整マット４８，背骨反らせ乗せマット５０，盛り上がり面のある上前斜面５８，背骨反らせマット６５等を用いて、背骨の上部から下部までを反らし易くする。【選択図】  図５
2004298603.tif 000002
【特許請求の範囲】
【請求項１】
上半身の側背，背面を、寄せかけ，乗せかけ、もたれかけるべき、断面がほぼ三角形、山型状の左右の背乗せ部（２，２’）の腹部（４）の上部付近から肩部（６）にかけての左の内側斜面（２３）と右の内側斜面（２３’）との間に於て、上面が腹部付近で低く、肩部上部へかけて次第に高くなるほぼ扇状面（１２）で、下面が左右内側斜面（２３と２３’）の下縁（ほぼ平行配置す）の間のほぼ長方形部（１３）である上面と下面の間を、弾力ある稍軟質材で埋める肩傾斜乗せ部（１４，上端近くに上下方向の盛り上がり面１９を設ける）、及びその後部に枕乗せ部（１５）を置いて、背骨上部を反らせる寝具。
【請求項２】
弾力ある稍軟質素材で、上面に上下左右からのふくらみ部（５３）と上端に差込部（４９）のある背骨反らせ調整マット（４８）又はそれより横幅広く左右下部に上面紡錘形状の背乗せ部（５１，５２）を有する背骨反らせ乗せマット（５０），背骨反らせマット（６５，盛り上げ部１９”と小山６４を持つ）を用いて、背骨上部又は背骨上部から腹部下面までを反らせる寝具。
【請求項３】
内部に、マットレス（２９），気泡つきシート（３５）の折畳み部（３０），丸めこみ部（３１）を配列し、外周を上前斜面（５８，その働き部７２を含む），上後部（６３），下水平部（６０）の、稍軟質で弾力ある素材で囲む肩又は肩腹傾斜乗せ部（６１）の上前傾斜部（５８，７２）上面に、請求項２記載の背骨反らせ調整マット又は背骨反らせ乗せマット（４８，５０），上面又は下面に背骨反らせマット（６５）を置き、或いは上前傾斜面部を盛り上げ部（１９’，小山６４’）のある部とし、腹部下面から背骨上部までを反らせる寝具。
【発明の詳細な説明】
【産業上の利用分野】
【０００１】腹部ら上の背骨で特に肩部下面付近の医療兼用リハビリ寝具。
【従来の技術】
【０００２】従来、上半身に折畳部のあるベッド，空気部を利用するベッド等あるが、特に肩部又は肩部から腹部までの背骨を反らせるための物は無い。
【発明が解決しようとする課題】
【０００３】上半身の特に肩部背面の背骨を反らし易くし、尚腹部下面の背骨の形に合わせて反らし、疲労回復，病気予防と、リハビリ運動にも役立たせる。
【課題を解決するための手段】
【０００４】請求項１と図１，２，３，４に示すように、上半身の側背，背面を寄せかけ，乗せかけ，もたれかけるべき、左右の背乗せ部２，２’（断面の形状がほぼ三角形又は三角形状に近い山型状）の腹部４の上部付近から肩部６にかけての、左と右夫々の内側斜面２３と２３’の間に於て、上面が腹部４付近で低く、肩部６へかけて次第に高くなる（左右の内側斜面２３と２３’の間を下方から上方へ高くなるように埋めると上面は扇状面１２となる）ようにし、下面はほぼ平行な左右の内側斜面の下縁の間のほぼ長方形部１３である左右内側傾斜面の間を稍軟質で弾力ある素材（例えばウレタンホーム等）で成型して埋める肩傾斜乗せ部１４（上端近くで肩部上部の下面付近に当る部を上下方向に盛り上がる面１９とする）とすると、その上に乗る使用者の背中の肩部付近は反り返るようになり、背骨上部を反らせる寝具となる。
【０００５】請求項２と図６，９，５，１５に示すように、背骨上部を反らせるには、弾力ある軟質素材（例えばポリエチレン，ポリエステル，ウレタンホーム，ウール，綿，羽毛等）で上面に左右上下方向からのふくらみの部５３のある稍縦長の、上端に枕１への差込部４９のある背骨反らせ調整マット４８，又はそれより横幅広く、左右下部に背乗せ部５１，５２（上面がほぼ紡錘形状で下面が水平）のある背骨反らせ乗せマット５０を用い、又は背骨反らせマット６５（盛り上げ部１９”とその下方に小山６４）を用いて、背骨下部も反らせる。
【０００６】請求項３と図５，１２，１３に示される、内部にマットレス２９（又はそれと同成分，ウレタンホーム等で成型する物），気泡つきシート３５（包装用ラップメイト，ポリエチレン材等）の折畳部３０，丸め込み部３１他四角折囲み部５５等を配列して、上前斜面５８，上後部６３（枕乗せ部１５のある部），下水平部６０の外周部を、稍軟質で弾力ある素材（ポリエステル，ウレタンホーム，ウール，綿，羽毛等）で、前部ほぼ三角形で後部ほぼ台形に似て成形する肩又は肩腹傾斜乗せ部６１の上前斜面５８の上前に、請求項２記載の背骨反らせ調整マット４８，背骨反らせ乗せマット５０、或いは背骨反らせマット６５（盛り上げ部１９”と小山６４を持つ）を乗せ、又は上前斜面５８自体を盛り上げ部１９’又はそれと小山６４とのある部として背骨上部と腹部下面とを反らせる。
【作用】
【０００７】図１で、左右背乗せ部２，２’は、上向きに寝る病人等の腰痛，背骨痛，背骨疲れ，肩痛，肩こり，頭重，頭痛等の痛みに耐え易くし又は疲れを取り易くするために、体位を斜め横向き又はその角度を各種調節して、上半身各部の側背，背面を寄せかけ，乗せかけ，もたれかけ（図２，３）る際、左右平行背乗せ部２，２’の内側下縁のほぼ長方形部１３の水平面上に仰向けに寝る頭部の下面に置く枕１の左右端が横上に曲げ上がり（背乗せ部２，２’を横へ開くと、他の肩，腹，腰部を寄せ，乗せ，もたれ難くなる）、頭を横向きにし難くなるので、背中の乗る部下面を左右背乗せ部２，２’の後上部の高さまで、腹部４の上部付近から次第に高くなるように傾斜させると、その上面は肩部上端で広くなる扇状面１２となり、その上に仰向けに寝る病人等の頭は、その上後部の枕乗せ部１５の上の枕１の上面に置いて、頭を自由に横向きにし得、横向きにした頭側面を寄せ，乗せ，もたれるには、図２の枕１の両上外側の枕横高部５７，５７’を用い、腹付近から肩上部へかけて次第に高くなる肩傾斜乗せ部１４の後方の枕乗せ部１５はほぼ水平にした上に枕１を乗せるので、扇状面１２が傾斜面である事は、頭を後方へ反り易く従って肩部を仰向けに反らし易くなっており、その上面に縦方向（上下方向）の盛り上がり面１９があると、更に大きく肩を反らし、背骨を反らし易くなる。
【０００８】背乗せ部２，２’を用いない場合の図５，６，７，８で、横幅の狭い図６の背骨反らせ調整マット４８では、上下左右方向のほぼ中央部分近くに盛り上がったふくらみ部５３の上面に背中を乗せ、左右に両腕１０，１０を垂れ易くして、胸を張って、背骨上部を反らすと、肺呼吸し易く、肺活量を増し、猫背になるのを予防し、肺を健康に保ち易くし、肺梗塞，肺気腫，肺塞栓などの予防又はリハビリ運動に役立つ。上端の差込部４９は最も深呼吸し易くするためにその位置を上下させる。背骨反らせ乗せマット５０もほぼ同様の作用の他、左右下方の背乗せ部５１，５２により主に腹部分の側背，背中を寄せかけ、乗せかけ、もたれかけて、背骨を反らせる運動と同時に又は交互に行うと、肺、心臓への血行をよくし、心身の疲労もとれ易く、リラックスしながらリハビリ運動をし得る。図５で、後部折畳部３０の前上方への折り返し水平部７０の前端は下方へ折返した下水平部６０の前端で稍曲がり下がり、その上面の背骨反らせ調整マット４８又は背骨反らせ乗せマット５０の上前斜面部と合して、上前斜面５８と同じ働きをする部７２となる。下水平部６０は上段へ更に折返すと図１６になる。
【０００９】図１２，図１３，５の上前斜面５８又はその働き部分７２への仰向け睡眠，休息で、胴上部の体重は斜面の下方へ加重され、肩と背骨上部への加圧が減り、肩部背中の上前斜面５８への接触感が少く軽く浮かんだ感じとなって肩の力が抜け、身体下部から心臓へ戻る血流が少くなり易く（特に心臓の弱っている心不全等の病人）、肩部付近の血流が心臓へ多く環流され易く、肩部付近の疲労が早く恢復され、肩こり，肩痛も同じ理由で解消され易く、図６の背骨反らせ調整マット４８，図９の背骨反らせ乗せマット５０を併せ用いると、更に肺の働きもよくなり（０００８）、心臓への負担が軽くなっている事と相俊って、心肺健康な人となり易く、背骨を反らせ、背乗せ部５１，５２を利用するリハビリ運動する気力も増し、病気を恢復し易くなる。
【００１０】図１２で背骨反らせマット６５を用いると、盛り上げ部１９”により背骨上部を反らし、下方にふくらむ小山６４により腰骨上の凹みを乗せる。
【００１１】図１３では、図１２の背骨反らせマット６５を用いずに、上前斜面５８自体の上方部を盛り上げ部１９’のある部分として（その下面に大きな丸めこみ部３１を当てておく）、その部の背骨上部を反らし易くし、背骨下部の凹み７１にはふくらむ小山６４’（下面に小さい丸めこみ部３１’を当てておく）を当てて、その部を乗せ支えて仰向け姿勢を楽にする。
【００１２】図１２，１３，５の上前斜面５８，その働き部７２，下水平部６０等を用い台形に似た形の肩又は肩腹傾斜乗せ部６１の内部に配列する、マットレス２９，気泡つきシート３５の折畳部３０，丸めこみ部３１，四角折畳部５５は夫々の隣接部をすき間なく、きつく配列又は接触面を接着しておき、更に上下端も上前斜面５８，下水平部６０に接着しておくと、上面に上半身の腹，肩部の体重が加圧された時、隣接部が互に側方へ押し合うので、一部だけが凹み又はつぶれる事が無く側方へ押し合う力が強い弾力となって反撥するので上前斜面５８のソフト感により、肩腹部の背中１７，側背１６が痛みを感じ難く快適に睡眠，休息し得る。尚上前斜面５８の素材が軟質のウレタンホーム等であってもその下面に気泡つきシート３５の丸めこみ部３１があれば、その収縮し難い弾力部で受け止めて適度のクッション部となり得る。それは圧縮空気入りチューブ等のようにバルブその他を調節する必要がない。又木部，硬質合成樹脂，金属では柔かみが無く固すぎる。
【００１３】図６の背骨反らせ調節マット４８，図９の背骨反らせ乗せマット５０は、左右辺に傾斜下がり面，背乗せ部５１，５２があるので、上前斜面５８の下面（例えば図１２）と図１３下面には利用し難いが、図１４，１５に示す背骨反らせマット６５は、盛り上がり部１９”が上下方向だけで、左右方向には盛り上がっていないので、図１２，１３では、上前斜面５８又はその働き部分７２（図５，０００８）でも、その上面と下面のどちらにも利用し得る。
【００１４】図１４で、背骨反らせマット６５の盛り上げ部１９”と小山６４を長時間使用して背骨の上部，下部に疲労がある時には、その後上方の横高部５７のついた横高枕７５を矢印７４の方向で背骨反らせマット６５上部の上面又は下面に入れて置くと姿勢が楽になり、又は左右の横高部５７へ頭の背面を移し又は頭の側面をよせかけ，乗せ、もたれると、疲れがとれ、姿勢が楽になる。
【００１５】図１５は、敷布団４４等の水平部の上に、直接背骨反らせマット６５を用いる場合、頭部３６は首すじと共に下方に反り返るので、枕１は高さの低い物又は図１４の横高枕７５の先端に低い部７８を設け、矢印７４へ移し背骨反らせマット６５の上端の低い部７７に合わせ、その位置と厚みを調節する。
【実施例】
【００１６】第２図のＡ−Ａ断面図で、左右背乗せ部２，２’の内側斜面２３，２３’の間を埋める肩傾斜乗せ部１４の上方の枕１の左右端は枕横高部５７，５７’として、頭を側方へ寄せかけ易くし（枕１は図４で肩傾斜乗せ部１４の後方に続く枕乗せ部１５（０００７）の上にある）、頭背乗せ部２の７，７’の代りとす。
【００１７】図３のＢ−Ｂ断面図で、Ｂ−Ｂ線上の肩傾斜乗せ部１４の厚みは、扇状面１２の下方部なので、図２の肩傾斜乗せ部１４の厚みより薄く、その上に、図１に示す腕１０と、胴の肩部２２の背中１７（内側斜面２３の上）と他の腕１０とが示される。
【００１８】図４で、枕乗せ部１５の上になる部に示される枕１（斜線無し）は図１の枕１で、図４の扇状面１２の盛り上がり面１９により反らされた背骨上部上方の頭３６を乗せるために、上面がほぼ水平で低い物が使用される。
【００１９】図６の背骨反らせ調整マット４８の上端の差込部４９は、図７で枕１の側面下部の横穴６８に出入りする。その上方枕１の中央上面の小凸部（縦横無数に配列）６９は風通しよくして熱気を防ぐための物である。
【００２０】図８で、ふくらみ部５３は、敷き布とん４４の上の折畳みマットレス３０の上の背骨反らせ調整マット４８上面の上下左右方向のふくらみ部の左右幅と上下の高さを示す。
【００２１】図９の背骨反らせ乗せマット５０の、Ｇ−Ｇ線上のふくらみ部５３の部付近の左右幅と厚みを図１０のふくらみ部５３に示し、その下方でＨ−Ｈ線上の左右の背乗せ部５１，５２の断面形状（内側斜面２３，２３’と外側斜面２４と２４’）と背骨反らせ乗せマット５０の厚みの薄い部分を図１１に示す。
【００２２】請求項３に関し、図５では上前斜面５８の働きをする部７２（０００８）上に請求項２記載の背骨反らせ調節マット４８を、図１２では上前斜面５８上に背骨反らせマット６５を、図１３では上前斜面５８自体を盛り上げ部１９’と小山６４’のある部とし、図１５では背骨反らせマット６５と横高枕７５とを用い、図１６では０００８に示す、下水平部６０を上段へ更に折返した部に背骨反らせ乗せマット５０を乗せる場合を示す。
【００２３】図１２，１３の肩又は肩腹傾斜乗せ部６１の内部に配列する四角折囲み５５は内部に気泡つきシート３５を複数巻きにした芯３２を入れ、その外周をマットレス２９で巻囲んでもよい。上前斜面５８の下面で荷重の大きい部の下面には気泡つきシート３５の丸め込み部３１を置き、その外側にマットレス２９の丸め込み部３１又は折畳み部３０を置く（００１１）。
【００２４】図９の背骨反らせ乗せマット５０の上の背乗せ部５１又は５２を取付け固定せず、図１，５のひざ６６又は大腿部６７，かかと付近下面等に移動し、その部を少し上げ血行をよくし姿勢を楽にするために用い得る。
【００２５】図１４で、背骨反らせマット６５の前端下面７６厚みを薄くすると、図１２の背骨下部凹み７１にフィットして姿勢が楽になり易く、その上後部７７も、横高枕７５の前端下面７８と共に薄くしておくと矢印７４の方向に入り易くなり、近寄る程横高枕７５又は低い枕１も次第に高くし得る。（図１５）
【発明の効果】
【００２６】ほぼ平行配置する左右背乗せ部２，２’の間に頭部３６を置き、又はよせかけ、もたれるための肩傾斜乗せ部１４で、背中上部を反らせ易くする構成（扇状面１２の傾斜面と盛り上がり面１９）を、背骨反らせ調節マット４８，背骨反らせ乗せマット５０，背骨反らせマット６５にも応用して背骨上部を反らし易くして肺呼吸を活発にして背骨疲労恢復、肩痛，肩こり，呼吸不良による肺梗塞，肺気腫，猫背等の予防解消に役立て、又それら（１４，４８，５０，６５）の斜面を肩又は肩傾斜乗せ部６１の上前斜面５８（丸めこみ部３１等により弾力部とする）又はその働き部７２に用い、下半身からの血流量よりも肩部付近からの血液が多く環流されて、肩部の疲労が回復され易く（横臥，睡眠，休息時）但し心不全等の病人，老人は長時間の睡眠，足体操等で、足のむくみ、歩行痛を解消し、又背骨下部の凹みに合う小山６４により背骨下部をも反らし易くし且腰曲がりを予防しながら背骨の疲労を回復し、尚背乗せ部５１，５２，２，２’をも利用してリハビリ運動しながら病気回復し得、尚胃下垂等の予防に役立つ。
【図面の簡単な説明】
【図１】上半身下面に左右の背乗せ部２，２’を用いる上面図。
【図２】図１のＡ−Ａ線断面図。
【図３】図１のＢ−Ｂ線断面図。
【図４】図１のＣ−Ｃ線の側断面図。
【図５】図６のＦ−Ｆ線断面図上に上半身を乗せる側面図（腕１０を省く）
（図９の背骨反らせ乗せマット５０を、点線で併せ示す）
【図６】図５の背骨反らせ調整マット４８を用いる上面図（上半身省略）
【図７】図６のＤ−Ｄ線断面図。
【図８】図６のＥ−Ｅ線断面図。
【図９】背骨反らせ乗せマット５０を用いる一例上面図（上半身省略）
【図１０】図９のＧ−Ｇ線断面図。
【図１１】図９のＨ−Ｈ線断面図。
【図１２】肩又は肩腹傾斜乗せ部６１（側面覆布省略）に背骨反らせマット６５を用いる上半身（腕１０を省略）側面図。
【図１３】肩又は肩腹傾斜乗せ部６１の上前斜面５８自体を盛り上げ部１９’と小山６４のある部として背骨上下部を反らせる上半身の側面図。
【図１４】背骨反らせマット６５と横高枕７５との斜視図。
【図１５】図１４のＩ−Ｉ線断面上に上半身を乗せる側断面図。
（図５，１２，１３，１６同様，４８，６５，３１，３０を示すため腕１０（図１）を省略）。本図は図１４の７７と７８が重なり高くなる態様を示す。
【図１６】上前斜面の働き部７２の５０上に上半身を乗せる側断面図。
【符号の説明】
１−−−−−−枕
２，２’−−−左，右の背乗せ部
４，５，６，７−−−２，２’の腹部，腰部，肩部，頭部
１２−−−−−扇状面（１４の上面）
１３−−−−−ほぼ長方形部（１４の下面）
１４−−−−−肩傾斜乗せ部
１５−−−−−枕乗せ部
１６，１７−−−側背，背面
１９，１９’，１９”，（上下方向の）盛り上がり面（１４，５８，６５の）
２０，２１，２２，３６−−−（上半身の）腹部，腰部，肩部，頭部（３６）
２３，２４，２３’，２４’−−−−左，右の内側斜面，外側斜面
２９−−−−−マットレス
３０−−−−−（２９，３５の）折畳部
３１，３１’−−−（２９，３５の）丸めこみ部（３１’は小さな丸めこみ部）
３５−−−−−気泡つきシート
４４−−−−−敷き布とん
４５−−−−−敷き布
４８−−−−−背骨反らせ調整マット（図６）
４９−−−−−（４８上端の）差込部
５０−−−−−背骨反らせ乗せマット
５１，５２−−（上面紡錘形状の）背乗せ部
５３−−−−−（上下左右方向の）ふくらみ（の）部（の最も高い所）
５５−−−−−四角折囲み部
５７，５７’−−−（１の）横高部（左，右）
５８−−−−−（６１の）上前斜面
６０−−−−−（６１の）下水平部
６１−−−−−（５８，６３，６０で囲む）肩又は肩傾斜乗せ部
６３−−−−−（６１の）上後部
６５−−−−−背骨反らせマット
６６−−−−−膝（図１）
６７−−−−−大腿部（図１）
６８−−−−−（枕１の）横穴
６９−−−−−（１の中央上部の）小凸部
７０−−−−−（３０の前上方への）折り返し水平部
（前端の斜め部分が、７２の一部）
７１−−−−−背骨下部の凹み（腰骨上）
７２−−−−−（５８と同じ働きをする部）５８の働き部
７４−−−−−矢印（図１４，１５で枕１，７５の出入方向）
７５−−−−−横高枕（５７，５７を有する）
７６−−−−−（６５の）先端の薄い部分（低い部）
７７−−−−−（６５の）上後部の薄い部分
７８−−−−−（７５の）前端下面（薄くする部）
１０−−−−−腕（図５，１２，１３，１５，１６で背骨を反らせる部を示すため省略してある）
３２−−−−−（５５の中の）芯（３５の複数巻き）
７９−−−−−（０００８で図１６の、６０を上段へ）折返した部
８０−−−−−首（図２）
【図１】
2004298603.tif 000003
【図２】
2004298603.tif 000004
【図３】
2004298603.tif 000005
【図４】
2004298603.tif 000006
【図５】
2004298603.tif 000007
【図６】
2004298603.tif 000008
【図７】
2004298603.tif 000009
【図８】
2004298603.tif 000010
【図９】
2004298603.tif 000011
【図１０】
2004298603.tif 000012
【図１１】
2004298603.tif 000013
【図１２】
2004298603.tif 000014
【図１３】
2004298603.tif 000015
【図１４】
2004298603.tif 000016
【図１５】
2004298603.tif 000017
【図１６】
2004298603.tif 000018
【手続補正書】
【提出日】平成15年5月20日(2003.5.20)
【手続補正１】
【補正対象書類名】明細書
【補正対象項目名】０００７
【補正方法】変更
【補正の内容】
【０００７】図１で、左右背乗せ部２，２’は、上向きに寝る病人等の腰痛，背骨痛，背骨疲れ，肩痛，肩こり，頭重，頭痛等の痛みに耐え又は疲れを取り易くするために、体位を斜横向き又はその角度を各種調節して、上半身各部の側背１６，背面１７を寄せかけ，乗せかけ，もたれかけ（図３）る際、左右平行な背乗せ部２，２’の内側下縁のほぼ長方形部１３の水平面上に仰向けに寝る頭部の下面に置く枕１（稍横長）の左右端が横上に曲げ上がり（背乗せ部２，２’の頭部７，７’を横へ開くと、他の肩，腹，腰部を寄せ，乗せ，もたれ難くなる）、頭を横向きにし難くなるので、背中の乗る部下面を、左右背乗せ部２，２’の頂上部（断面ほぼ三角形，山型状の最高部）の高さまで、腹部４の上部付近から次第に高くなるように傾斜させると、その上面は肩部上端付近で広い扇状面１２となり、その上に仰向けに寝る病人の頭は、その上後部の頭乗せ部１５の上の枕１の上面に置いて、頭３６を自由に横向きにし得、横向きにした頭側面を寄せ，乗せ，もたれるには、図２の枕横高部５７，５７’を用い、腹付近から肩上部へかけて次第に高くなる肩傾斜乗せ部１４の後方の枕乗せ部１５はほぼ水平にした上に枕１を乗せるので、扇状面１２が傾斜面である事は、頭を後方へ反り易く従って肩部も仰向けに反らし易く、その上面に縦（上下）方向の盛り上がり面１９があると、更に大きく肩を反らし、背骨上部を反らし易くなる。


【手続補正２】
【補正対象書類名】明細書
【補正対象項目名】００１０
【補正方法】変更
【補正の内容】
【００１０】図１２で背骨反らせマット６５を用いると盛り上がり部１９”により背骨上部を反らし、下方のふくらむ小山６４により腰骨上の凹み７１を乗せる。


【手続補正３】
【補正対象書類名】明細書
【補正対象項目名】００２３
【補正方法】変更
【補正の内容】
【００２３】図１２，１３の肩又は肩腹傾斜乗せ部６１の内部に配列する四角折畳部５５は内部に気泡つきシート３５を複数巻きにした芯３２を入れ、その外周をマットレス２９で巻囲んでもよい。上前斜面５８の下面で荷重の大きい部の下面には気泡つきシート３５の丸め込み部３１を置き、その外側にマットレス２９又は気泡つきシート３５の丸め込み部３１を配列し、図１３で小さい丸め込み部３１’とした部を、図１２では折畳部３０とする場合を示す。
【手続補正４】
【補正対象書類名】明細書
【補正対象項目名】図５
【補正方法】変更
【補正の内容】
【図５】図６のＦ−Ｆ線断面図上に上半身を乗せる側面図（腕１０を省く）。
【手続補正５】
【補正対象書類名】明細書
【補正対象項目名】０００６
【補正方法】変更
【補正の内容】
【０００６】請求項３と図５，１２，１３に示される、内部にマットレス２９（又はそれと同成分，ウレタンホーム等で成型する物），気泡つきシート３５（包装用ラップメイト，ポリエチレン材等）の折畳部３０，丸め込み部３１他四角折畳部５５を配列して、上前斜面５８，上後部６３（図１の枕乗せ部１５のある部），下水平部６０の外周部を、稍軟質で弾力ある素材（ポリエステル，ウレタンホーム，ウール，綿，羽毛等）で、前部ほぼ三角形で後部ほぼ台形に似て成形する肩又は肩腹傾斜乗せ部６１の上前斜面５８の上前に、請求項２記載の背骨反らせ調整マット４８，背骨反らせ乗せマット５０，或いは背骨反らせマット６５（盛り上げ部１９”と小山６４を持つ）を乗せ，又は上前斜面５８自体を盛り上げ部１９’又はそれと小山６４とのある部（取付け又は盛り上げ部６４’）として背骨上部と腹部下面とを反らせる。


【手続補正６】
【補正対象書類名】明細書
【補正対象項目名】符号の説明
【補正方法】変更
【補正の内容】
【符号の説明】
１−−−−−  枕
２，２’−−−（左，右の）背乗せ部
４，５，６，７−−−（２，２’の）腹部，腰部，肩部，頭部
１０−−−−−腕（図１，３に示す。）
１２−−−−−扇状面
１３−−−−−ほぼ長方形（１４の下面）
１４−−−−−肩傾斜乗せ部
１５−−−−−枕乗せ部（図１５）
１６，１７−−−−側背，背面（図３）
１９，１９’，１９”−−（上下方向の）盛り上がり面（１４，５８，６５の）
２０，２１，２２，３６−（上半身の）腹部，腰部，肩頭，頭部
２３，２４，２３’，２４’−（左，右夫々の）内側斜面，外側斜面（２，２’の）
２９−−−−−マットレス
３０−−−−（２９，３５の）折畳部
３１，３１’−−（２９，３５の）丸め込み部（３１’は小さな丸め込み部）
３２−−−−（５５の中の）芯（３５の複数巻き、）
３５−−−−気泡つきシート
４４，４５−−−敷き布とん，敷き布
４８−−−−−背骨反らせ調整マット
４９，６８−−（４８上端の）差込部，横穴
５０−−−−−背骨反らせ乗せマット
５１，５２−−（５０の上の）背乗せ部
５３−−−−（上下左右方向の）ふくらみ（の）部（の最も高い所）
５５−−−−四角折畳部
５７，５７’−−−−（１の）横高部（左，右）
５８，６０，６３−（６１の）上前斜面，下水平部，上後部。
６１−−−−−（５８，６０，６３で囲む）肩又は肩腹傾斜乗せ部
６４，６４’−−−−６５の小山６４，５８の小山６４’
６５−−−−背骨反らせマット
６６，６７−−−膝，大腿部（図１）
６９−−−−（１上面の）小凸部
７０−−−−（３０の）折り返し水平部（前端が７２の一部）
７１−−−−背骨下部の凹み（腰骨上）
７２−−−−（５８と同じ働きをする）５８の働き部
７４−−−−矢印（図１４，１５で７５，１の出入方向）
７５−−−−横高枕
７６，７７−−−（６５の）前端下面の薄い部，上後部の薄い部
７８−−−−（７５の）前端の薄い部
７９−−−−（６０を上段へ）折返した部
８０−−−−首（図２）




【手続補正書】
【提出日】平成16年1月26日(2004.1.26)
【手続補正１】
【補正対象書類名】明細書
【補正対象項目名】０００１
【補正方法】変更
【補正の内容】
【０００１】
腹部から上の背骨で特に肩部下面付近の医療兼リハビリ寝具。